(57)【要約】【課題】給湯機のポンプが駆動しない場合に、使用者が取るべきアクションを明確にして、使い勝手の良い給湯機を得ること。【解決手段】熱媒を加熱する加熱手段２と、外気温度を検出する外気温検出手段２ａと、加熱手段２に接続され、熱媒が循環する循環回路３と、循環回路３に設けられ、循環回路３に熱媒を循環させる循環ポンプ４と、循環ポンプ４と加熱手段２を制御する制御部２４と、制御部２４に電気的に接続され、動作状態を使用者に報知可能な報知部２５と、を備え、制御部２４は、循環ポンプ２に駆動指示を与えても循環ポンプ２が駆動しない場合に、外気温検出手段２ａで検出した外気温が、所定の閾値以上であれば、自然解氷見込み有を主旨とする第一ガイダンスを報知部２５で報知し、外気温検出手段２ａで検出した外気温が、所定の閾値未満であれば、自然解氷見込み無を主旨とする第二ガイダンスを報知部２５で報知する。【選択図】図３
2018066526.tif 000002
【特許請求の範囲】
【請求項１】
熱媒を加熱する加熱手段と、
外気温度を検出する外気温検出手段と、
前記加熱手段に接続され、前記熱媒が循環する循環回路と、
前記循環回路に設けられ、前記循環回路に前記熱媒を循環させる循環ポンプと、
前記循環ポンプと前記加熱手段を制御する制御部と、
前記制御部に電気的に接続され、動作状態を使用者に報知可能な報知部と、を備え、
前記制御部は、前記循環ポンプに駆動指示を与えても前記循環ポンプが駆動しない場合に、
前記外気温検出手段で検出した外気温が、所定の閾値以上であれば、自然解氷見込み有を主旨とする第一ガイダンスを前記報知部で報知し、
前記外気温検出手段で検出した外気温が、前記所定の閾値未満であれば、自然解氷見込み無を主旨とする第二ガイダンスを前記報知部で報知すること、
を特徴とする給湯機。  
【請求項２】
前記制御部は、前記所定の閾値を、所定の第一温度と、前記第一温度よりも低い所定の第二温度とし、
前記外気温検出手段で検出した外気温が、前記第一温度以上であれば、前記第一ガイダンスを前記報知部で報知し、
前記外気温検出手段で検出した外気温が、前記第二温度以下であれば、前記第二ガイダンスを前記報知部で報知すること、
を特徴とする、請求項１に記載の給湯機。  
【請求項３】
前記給湯機の運転履歴を記憶する履歴記憶手段を備え、
前記制御部は、前記履歴記憶手段の前記運転履歴がない場合のみ、前記報知部で、前記第一ガイダンスまたは前記第二ガイダンスの報知を行う、
請求項１または２に記載の給湯機。
【請求項４】
前記制御部は、前記循環ポンプの駆動指示を定期的に行い、前記循環ポンプの駆動が確認できない間は、前記外気温検出手段で検出した外気温度に応じて、前記報知部での報知内容を更新する、請求項１から３のいずれか１つに記載の給湯機。
【請求項５】
前記制御部は、
前記外気温検出手段で検出した外気温度が、前記所定の閾値以上、
かつ給湯機の運転履歴がある状態で、
前記循環ポンプに駆動指示を行っても、前記循環ポンプの駆動が確認できない場合は、
前記循環ポンプが故障している旨を、前記報知部で報知する、
請求項１から４のいずれか１つに記載の給湯機。
【請求項６】
前記制御部は、
前記外気温検出手段で検出した外気温度が、前記所定の閾値以上、
かつ給湯機の運転履歴がない状態で、
前記循環ポンプに駆動指示を行っても、前記循環ポンプの駆動が確認できない場合は、
前記循環ポンプが故障している旨を、前記報知部で報知する、
請求項１から５のいずれか１つに記載の給湯機。
【請求項７】
前記制御部は、
前記外気温検出手段で検出した外気温度が、前記所定の閾値未満、
かつ給湯機の運転履歴がある状態で、
前記循環ポンプに駆動指示を行っても、前記循環ポンプの駆動が確認できない場合は、
前記循環ポンプが故障している旨を、前記報知部で報知する、
請求項１から６のいずれか１つに記載の給湯機。
【請求項８】
前記制御部は、
前記外気温検出手段で検出した外気温度が、
前記所定の第一温度を超え、前記所定の第二温度未満である場合、
検出している外気温度の所定時間あたりの変化量が上昇傾向であれば、前記第一ガイダンスを前記報知部で報知し、
検出している外気温度の所定時間あたりの変化量が下降傾向であれば、前記第二ガイダンスを前記報知部で報知すること、
を特徴とする、請求項２から７のいずれか１つに記載の給湯機。  
【発明の詳細な説明】
【技術分野】
【０００１】
本発明は、給湯機に関するものである。
【背景技術】
【０００２】
従来の給湯機には、貯湯タンクとヒートポンプ間の湯水を循環するためにヒートポンプ循環ポンプが設置してあり、このヒートポンプ循環ポンプに一定電圧を印加し動作指示を行っている状態で動作が確認できない（回転数を検出できない）場合に、ヒートポンプ循環ポンプが故障している旨をリモコン等の報知手段によって使用者に報知していた。
【０００３】
また、ポンプに動作指示を行っている状態で、動作が確認できず、かつ外気温が低いときはポンプ内残水が凍結したと判断し、解氷のためにポンプに断続的に通電するものがあった。
【先行技術文献】
【特許文献】
【０００４】
【特許文献１】特開２００８―２５８８２号公報
【発明の概要】
【発明が解決しようとする課題】
【０００５】
従来の給湯機は、発生時の外気温状況によらず故障と判断して使用者に報知するため、例えば原因が故障ではなく単純な凍結によるものであっても、使用者は販売店等への修理依頼連絡をし、復旧には販売店等の作業または確認を待つ必要があり、再び使用可能になるまで多大な時間を要する。
【０００６】
また上記特許文献１にあるような通電による解氷も、復帰まで長時間を要し、その間使用者は給湯機を使用出来ないだけでなく、自然解氷を待つか否か、使用者がどの様に対処すべきかが明確でない。
【０００７】
本発明は、上記のような問題点を解決するもので、給湯機のポンプが駆動しない場合に、使用者が取るべきアクションを明確にして、使い勝手の良い給湯機を得ることを目的としている。
【課題を解決するための手段】
【０００８】
熱媒を加熱する加熱手段と、外気温度を検出する外気温検出手段と、加熱手段に接続され、熱媒が循環する循環回路と、循環回路に設けられ、循環回路に熱媒を循環させる循環ポンプと、循環ポンプと加熱手段を制御する制御部と、制御部に電気的に接続され、動作状態を使用者に報知可能な報知部と、を備え、制御部は、循環ポンプに駆動指示を与えても循環ポンプが駆動しない場合に、外気温検出手段で検出した外気温が、所定の閾値以上であれば、自然解氷見込み有を主旨とする第一ガイダンスを報知部で報知し、外気温検出手段で検出した外気温が、所定の閾値未満であれば、自然解氷見込み無を主旨とする第二ガイダンスを報知部で報知するものである。
【発明の効果】
【０００９】
本発明によれば、給湯機のポンプが駆動しない場合に、使用者が取るべきアクションを明確にして、使い勝手の良い給湯機を得ることができる。
【図面の簡単な説明】
【００１０】
【図１】本発明の実施の形態１を示す給湯機の構成図である。
【図２】本発明の実施の形態１を示す給湯機のリモコンに表示するガイダンスの例（ａ），（ｂ），（ｃ）、（ｄ）である。
【図３】本発明の実施の形態１を示す給湯機の動作のフローチャートである。
【図４】本発明の実施の形態２を示す給湯機の動作のフローチャートである。
【発明を実施するための形態】
【００１１】
以下、本発明の具体的内容について、図１から４を用いて説明する。なお、各図において同一部分または相当部分は同一符号を付し、詳細な説明を省略する。
【００１２】
実施の形態１．
図１は、本発明の実施の形態１における貯湯式給湯機の構成図である。図１において、貯湯タンク１は、その下部と上部に加熱循環回路３が接続されており、加熱循環回路３は途中に加熱手段であるヒートポンプユニット２を備えている。ヒートポンプユニット２内には、圧縮機、給湯用熱交換器、膨張弁、空気熱交換器を順次冷媒配管で接続したヒートポンプ回路（いずれも図示省略）を備えている。また、ヒートポンプユニット２には、外気温度を検出する外気温センサ２ａが設けられている。加熱循環回路３は貯湯タンク１の上下部をヒートポンプユニット２に接続し、貯湯タンク１の下部とヒートポンプユニット２との間にはヒートポンプ循環ポンプ４が設けられ、貯湯タンク１の下部から取り出した水をヒートポンプユニット２内に導き、ヒートポンプユニット２内で高温の湯に沸き上げて（加熱して）貯湯タンク１の上部に戻している。ここで、沸き上げの動作は、一般的に電気料金の割安な深夜電力時間帯を中心に実施し、翌日のお湯の使用分を貯湯タンク１に貯湯するように実施する。
【００１３】
貯湯タンク１の外周には、貯湯タンク１の上部から貯湯タンクの容積の０リットル、５０リットル、１００リットル、１５０リットルの位置に第１〜第４の温度センサ５ａ〜５ｄが設けられている。また、加熱循環回路３の貯湯タンク１の下部と接続する側の配管上に第５の温度センサ５ｅが設けられている。第１〜第５の温度センサ５ａ〜５ｅは貯湯タンク１内の残湯熱量を検出する残湯熱量検出手段として機能し、その位置の湯の温度を検知する。貯湯タンク温度センサ６は貯湯タンク１の上部に設けられ、ヒートポンプユニット２によって加熱されて貯湯タンク１の上部に戻される湯の温度を検知する。
【００１４】
一般給湯側電動混合弁７は、貯湯タンク１の上部に接続された給湯管８と、水道管等の水源に接続された給水管９に接続されており、貯湯タンク１からの高温湯と水源からの水を適温に混合し、蛇口等の給湯負荷に接続された混合給湯管１０に適温の湯を供給する。
【００１５】
給水管９には、給水温度センサ２３が設けられ、給水管９を流れる水の温度を検知し、混合給湯管１０には、給湯用流量センサ１９と給湯用温度センサ２０が設けられ、混合給湯管１０を流れる湯の流量と温度を検知する。
【００１６】
風呂給湯側電動混合弁１１は、貯湯タンク１の上部に接続された給湯管８と、水道管等の水源に接続された給水管９に接続されており、貯湯タンク１からの高温湯と水源からの水を適温に混合し、混合風呂管１８、風呂側循環回路１２を経由して浴槽（図示せず）に適温の湯を供給し、適量となったところで電磁弁１３により供給を停止し湯張りを行う。
【００１７】
混合風呂管１８には、風呂用流量センサ２１と風呂用温度センサ２２が設けられ、混合風呂管１８を流れる湯の流量と温度を検知する。
【００１８】
風呂側循環回路１２は、風呂循環ポンプ１４により浴槽から浴水を引き込み、熱交換器１５を経由して浴槽に戻る経路である。また、タンク側循環回路１６は、貯湯タンク１の上部からタンク内の湯をタンク循環ポンプ１７で引き込み、熱交換器１５を経由して貯湯タンク１の下部に繋がる経路である。ここで、風呂循環ポンプ１４により風呂側循環回路１２に浴槽から引き込まれた浴水は、タンク循環ポンプ１７によりタンク側循環回路１６に貯湯タンク１の上部から引き込まれた高温湯と、熱交換器１５を介して熱交換されて浴槽に戻り、浴水が適温となったところで風呂循環ポンプ１４とタンク循環ポンプ１７の動作を停止する、追い焚き運転を行うことができる。
【００１９】
制御部２４は、ヒートポンプユニット２、外気温センサ２ａ、ヒートポンプ循環ポンプ４、第１〜第５の温度センサ５ａ〜５ｅ、貯湯タンク温度センサ６、一般給湯側電動混合弁７、風呂給湯側電動混合弁１１、電磁弁１３、風呂循環ポンプ１４、タンク循環ポンプ１７、給湯用流量センサ１９、給湯用温度センサ２０、風呂用流量センサ２１、風呂用温度センサ２２、給水温度センサ２３、リモコン２５と電気的に接続されており、各々との信号の授受や各々の動作を制御している。また、制御部２４は、自然解氷見込み判定手段２４ａと、外気温度記憶手段２４ｂと、動作実績記憶手段２４ｃを備えている。外気温度記憶手段２４ｂは、外気温センサ２ａで検出した外気温度を記憶する。自然解氷見込み判定手段２４ａは、外気温センサ２ａで検出した外気温度の変化、または外気温度記憶手段２４ｂで記憶した外気温度と外気温度センサ２ａでの検出値を比較することで、自然解氷の見込みがあるかを判断する（詳細は後述）。また、動作実績記憶手段２４ｃは、貯湯式給湯機が設置されて、ヒートポンプユニット２による貯湯タンク１への貯湯運転が行われた実績があるかどうかを、動作実績として記憶するものである。ここで、動作実績記憶手段２４ｃに動作実績が記憶されているということは、貯湯式給湯機が正常に設置され給水源や蛇口、浴槽等に接続され、電気工事も完了し、ヒートポンプ循環ポンプ２が１度でも正常に動作したことがあるということを意味し、一般的な凍結防止のための対策がなされていることを意味する。
【００２０】
リモコン２５は、リモコン表示部２５ａおよびスピーカ（図示せず）を有しており、リモコン表示部２５ａに各種ガイダンスを表示または、スピーカで同等内容を音声で報知することで、使用者に報知を行うことができる報知部にあたるものである。なお、本実施の形態では、報知部として給湯機のリモコンを例示したが、これに限らず例えば、ＨＥＭＳ等の外部と接続されたネットワークを経由して、スマートホンやタブレット等の画面やスピーカーを報知部として利用してもよい。
【００２１】
図２の（ａ）から（ｄ）は、本発明の実施の形態１の報知部であるリモコン２５の表示部２５ａに表示する各種ガイダンスの例（２５ｂ〜２５ｅ）である。
【００２２】
制御部２４は、ヒートポンプ循環ポンプ４に電圧印加している状態で回転数が検出されない際に、設置初期（給湯機の運転動作履歴なし）で低外気温時（外気温が７℃以下）に、ヒートポンプ循環ポンプ４内残水の凍結によりポンプロックが発生したと判断し、後述するフローチャートでの判断に応じて、リモコン表示部２５ａに図２の（ｂ）から（ｄ）のいずれかの表示を行い使用者に報知する。（詳細は後述）
【００２３】
制御部２４は、ヒートポンプ循環ポンプ４に電圧印加している状態で回転数が検出されない際に、設置初期以外（給湯機の運転動作履歴あり）で低外気温時（外気温が７℃以下）に、ヒートポンプ循環ポンプ４が故障したと判断し、リモコン表示部２５ａに図２の（ａ）の表示を行い使用者に報知する。
【００２４】
制御部２４は、ヒートポンプ循環ポンプ４に電圧印加している状態で回転数が検出されない際に、設置初期（給湯機の運転動作履歴なし）で高外気温時（外気温が７℃より高い）に、ヒートポンプ循環ポンプ４が故障したと判断し、リモコン表示部２５ａに図２の（ａ）の表示を行い使用者に報知する。
【００２５】
制御部２４は、ヒートポンプ循環ポンプ４に電圧印加している状態で回転数が検出されない際に、設置初期以外（給湯機の運転動作履歴あり）で高外気温時（外気温が７℃より高い）に、ヒートポンプ循環ポンプが故障したと判断し、リモコン表示部２５ａに図２の（ａ）の表示を行い使用者に報知する。
【００２６】
自然解氷見込み判定手段２４ａは、外気温センサ２ａで検出した外気温度の変化、または外気温度記憶手段２４ｂで記憶した外気温度と外気温度センサ２ａでの検出値を比較することで、自然解氷の見込みがあるかを判断し、自然解氷見込み有りと判定した場合は、リモコン表示部２５ａに図２の（ｃ）の表示を行い使用者に報知する。また、自然解氷見込み無しと判定した場合は、リモコン表示部２５ａに図２の（ｄ）の表示を行い使用者に報知する。
【００２７】
次に、上記実施の形態１の具体的制御動作を図３に基づいて説明する。図３は本発明の実施の形態１を示す貯湯式給湯機の制御動作のフローチャートである。
【００２８】
図３において、制御部２４は、ステップＳ１でヒートポンプ循環ポンプ４を動作させるために電圧を印加する。続いてステップＳ２で、電圧印加のあとヒートポンプ循環ポンプが正常に動作すればＹＥＳ方向に進み本フローは終了する。一方、ヒートポンプ循環ポンプ４から回転数のフィードバックが得られない場合（すなわち動作しない場合）は、ＮＯ方向に進みステップＳ３に至る。ステップＳ３では、動作実績記憶手段２４ｃの記憶内容を確認し、動作実績ありの場合はＹＥＳ方向でステップＳ５へ、設置初期（給湯機の運転動作履歴なし）の場合は、ＮＯ方向でステップＳ４に進む。ステップＳ４では、外気温センサ２ａの検出値が高外気温時（外気温が７℃より高い）の場合はステップＳ５に進み、それ以外の場合は、ステップＳ７に進む。ステップＳ５では、設置初期以外（給湯機の運転動作履歴あり）または、設置初期（給湯機の運転履歴なし）かつ高外気温時（外気温が７℃より高い）であれば、部品（ヒートポンプ循環ポンプ２）故障と判定し、ステップＳ６に進み、ポンプ故障ガイダンス２５ｂをリモコン表示部２５ａに表示させる。
【００２９】
ステップＳ７では、設置初期（給湯機の運転履歴なし）かつ外気温が７℃以下であるので、部品（ヒートポンプ循環ポンプ２）故障ではなく凍結起因のポンプロックと判断し、凍結によるポンプロックエラー（ポンプ凍結エラー）と判定しステップＳ８に進む。
【００３０】
ステップＳ８では、ポンプ凍結エラー発生時、外気温センサ２ａでの検出値を確認し、外気温が氷点下より高ければ（外気温が０℃より高い）ＹＥＳ方向に進みステップＳ９に至り、自然解氷の見込み有りと判断しステップＳ１０に進む。ステップＳ１０では、リモコン表示部２５ａに、解氷待機誘導ガイダンス２５ｄを表示し使用者に報知する。
【００３１】
またステップＳ８で、ポンプ凍結エラー発生時、外気温センサ２ａでの検出値を確認し、外気温が氷点下以下（外気温が０℃以下）であればＮＯ方向に進みステップ１に至り、自然解氷の見込み無しと判断しステップＳ１２に進む。ステップＳ１２では、リモコン表示部２５ａに、解氷作業誘導ガイダンス２５ｅを表示し使用者に報知する。
【００３２】
以上のように本発明の実施の形態１によれば、これまで使用者に販売店等への連絡と対応完了までの待機を余儀なくさせることでの復旧期間の長大化に対して、自然解氷可能なケースを抽出し、使用者による解氷確認を促すことで、復旧期間の短縮機会を増加させることが可能になる。
【００３３】
実施の形態２．
次に本発明の実施の形態２について、図４を用いて説明する。なお構成については、本発明の実施の形態１と同等であるため、図１、図２を参照することとし詳細な説明を省略する。また、同等の動作内容に関しても説明を省略する。
【００３４】
実施の形態２では、ポンプ凍結エラー発生中（図３のステップＳ７）の部分について、別の動作を規定しているので、これについて説明する。
【００３５】
実施の形態２においては、ポンプ凍結エラー発生中は外気温に対する二つの閾値Ａ・Ｂ（Ａ＞Ｂ）を設け、二つの閾値をもって三つの温度領域を規定する。この各温度領域にて、それぞれ自然解氷見込み判定を実施し、自然解氷見込みの状態を更新する。
【００３６】
外気温に対する閾値Ａは、例えば東京の冬期（1月〜3月）の平均外気温をもとに７℃とする。外気温に対する閾値Ｂは、例えば氷点（０℃）に対して、センサのバラツキ等により検出できない場合を考慮し、少しマージンを設けた１℃とする。
【００３７】
次に、上記実施の形態２の動作の詳細について図４により説明する。図４は本発明の実施の形態２を示す貯湯式給湯機の制御動作のフローチャートである。
【００３８】
図４において、制御部２４は、ステップＳ１３で、ポンプ凍結エラー発生中かどうかを判断（実施の形態１参照）し、発生中以外の場合はＹＥＳ方向に進み本フローを終了する。一方、ポンプ凍結エラー発生中の場合はＮＯ方向に進みステップＳ１４に至る。ステップＳ１４では、外気温が閾値Ａ以上（外気温≧７℃）の場合、ステップＳ１５に進み、その温度領域を解氷見込み有り領域とし、自然解氷見込みを“有り”に更新する。続いてステップＳ１６に進み、解氷待機誘導ガイダンス２５ｄをリモコン表示部２５ａに表示させる。一方、外気温が閾値Ａ未満（外気温＜７℃）の場合、ステップＳ１７に進む。
【００３９】
ステップＳ１７では、外気温が所定の閾値Ｂを超える場合、すなわち１℃＜外気温＜７℃の場合、その温度領域を解氷予測領域とし、外気温の変化率をもとに自然解氷見込みの更新を行う。ここでは、外気温度が１℃＜外気温＜７℃の場合、ＹＥＳ方向に進みステップＳ１８に至り、それ以外の場合はＮＯ方向に進みステップＳ２５に至る。
【００４０】
ステップＳ１８では、外気温記憶手段２４ｂは、所定時間毎（例えば１時間毎に）の外気温データを今回外気温として記憶する。その際に、もともと今回外気温として記憶していた外気温データは前回外気温として記憶する。そして、外気温記憶手段２４ｂにて記憶している、今回外気温と前回外気温を基に、以下の式１にて外気温変化率ΔＴを算出し、ステップＳ１９に進む。
ΔＴ  ＝  今回外気温  −  前回外気温  …  （式１）
【００４１】
ステップＳ１９では、式１で演算したΔＴと所定値α（例えばα＝１℃）を比較し、ΔＴが所定値α以上（つまり温度変化がプラス方向で上昇傾向であることを意味する）の場合ＹＥＳ方向に進み、ステップＳ２０に至る。ステップＳ２０では、今後の外気温上昇により自然解氷を見込むことが出来ると判断し、自然解氷見込みを“有り”に更新してステップＳ２１に進む。ステップＳ２１では、解氷待機誘導ガイダンス２５ｄをリモコン表示部２５ａに表示させる。一方、ステップＳ１９で、ΔＴが、所定値α未満の場合はＮＯ方向に進み、ステップＳ２２に至る。
【００４２】
ステップＳ２２では、ΔＴが所定値αのマイナス側（マイナスα）より高く、所定値α未満（−α＜ΔＴ＜α）の場合、現時点の外気温に急激な増減は無いと判断しＹＥＳ方向に進み、現在の自然解氷見込みを継続させる。一方、ΔＴが所定値αのマイナス側（マイナスα）以下の場合は、ステップＳ２３に進む。
【００４３】
ステップＳ２３では、ΔＴが所定値αのマイナス側（マイナスα）以下（ΔＴ≦−α）であるので、今後の外気温下降により自然解氷を見込むことが出来ないと判断し、自然解氷見込みを“無し”に更新しステップＳ２４に進む。ステップＳ２４では、解氷作業誘導ガイダンス２５ｄをリモコン表示部２５ａに表示させる。
【００４４】
なお、本実施の形態２では、外気温変化率の所定値αを１℃としたが、αは例えば東京のある一日の外気温推移などをもとに決定しても良い。例えば、一日の最低外気温が、一日のうち上述の閾値Ａ以上（自然解氷見込み有り）となる時間で閾値Ａ以上になるような外気温上昇率を想定し、例えば０．３℃ほどとするようにしてもよい。またαは固定値ではなく、過去の外気温度等や過去に利用した値などをもとに算出する変数としても良い。
【００４５】
なお、ステップＳ２５では、自然解氷見込み判定手段２４ａは、外気温が閾値Ｂ以下（外気温≦１℃）であるので、その温度領域を解氷見込み無し領域とし、自然解氷見込みを“無し”に更新しステップＳ２６に進む。ステップＳ２６では、解氷作業誘導ガイダンス２５ｄをリモコン表示部２５ａに表示させる。
【００４６】
以上のように、本発明の実施の形態２によれば、ポンプ凍結エラー発生時のピンポイントの外気温度の状況によらず、使用者がエラーを認識した時点や、刻々と変化する外気温度の状況に応じた最適な行動（販売店等へ連絡、もしくは解氷待機並びに解氷確認）へ誘導することが可能となり、より使い勝手が向上する。
【符号の説明】
【００４７】
１  貯湯タンク、  ２  ヒートポンプユニット、  ２ａ  外気温センサ、
３  加熱循環回路、  ４  ヒートポンプ循環ポンプ、  ５ａ  第１の温度センサ、
５ｂ  第２の温度センサ、  ５ｃ  第３の温度センサ、  ５ｄ  第４の温度センサ、
５ｅ  第５の温度センサ、  ６  貯湯タンク温度センサ、
７  一般給湯側電動混合弁、  ８  給湯管、  ９  給水管、  １０  混合給湯管、
１１  風呂給湯側電動混合弁、１２  風呂側循環回路、  １３  電磁弁、
１４  風呂循環ポンプ、  １５  熱交換器、１６  タンク側循環回路、
１７  タンク循環ポンプ、１８  混合風呂管、１９  給湯量流量センサ、
２０  給湯量温度センサ、２１  風呂用流量センサ、
２２  風呂用温度センサ、２３  給水温度センサ、２４  制御部
２４ａ  自然解氷見込み判定手段、２４ｂ  外気温記憶手段
２４ｃ  動作実績記憶手段、  ２５  リモコン、  ２５ａ  リモコン表示部
２５ｂ  ポンプ故障ガイダンス、  ２５ｃ  ポンプ凍結ガイダンス
２５ｄ  解氷待機誘導ガイダンス、  ２５ｅ  解氷作業誘導ガイダンス
【図１】
2018066526.tif 000003
【図２】
2018066526.tif 000004
【図３】
2018066526.tif 000005
【図４】
2018066526.tif 000006